(57)【特許請求の範囲】
【請求項１】
誘電体層を積層してなり、且つ、前記誘電体層の積層方向と交差する第１の方向に対向する第１及び第２の側面と、前記積層方向及び前記第１の方向とに交差する第２の方向に対向する第３及び第４の側面とを有するコンデンサ素体と、
前記コンデンサ素体内に配置され、且つ、前記第１の方向に伸びる信号用主電極部と、前記信号用主電極部から前記第１及び第２の側面それぞれに引き出される信号用引き出し電極部とを有する信号用内部電極と、
前記コンデンサ素体内に配置され、且つ、前記信号用主電極部と前記積層方向に対向する接地用主電極部と、前記接地用主電極部から前記第３及び第４の側面それぞれに引き出される接地用引き出し電極部とを有する接地用内部電極と、
前記コンデンサ素体の前記第１及び第２の側面それぞれに配置され、前記信号用内部電極に電気的に接続される信号用端子電極と、
前記コンデンサ素体の前記第３及び第４の側面それぞれに配置され、前記接地用内部電極に電気的に接続される接地用端子電極と、を備え、
前記信号用主電極部は、前記積層方向に対向する前記接地用主電極部に向かって屈曲又は湾曲しており、
前記信号用主電極部又は前記接地用主電極部の少なくとも一方は、当該主電極部の中央部を中心として屈曲又は湾曲していることを特徴とする積層貫通コンデンサ。
【請求項２】
誘電体層を積層してなり、且つ、前記誘電体層の積層方向と交差する第１の方向に対向する第１及び第２の側面と、前記積層方向及び前記第１の方向とに交差する第２の方向に対向する第３及び第４の側面とを有するコンデンサ素体と、
前記コンデンサ素体内に配置され、且つ、前記第１の方向に伸びる信号用主電極部と、前記信号用主電極部から前記第１及び第２の側面それぞれに引き出される信号用引き出し電極部とを有する信号用内部電極と、
前記コンデンサ素体内に配置され、且つ、前記信号用主電極部と前記積層方向に対向する接地用主電極部と、前記接地用主電極部から前記第３及び第４の側面それぞれに引き出される接地用引き出し電極部とを有する接地用内部電極と、
前記コンデンサ素体の前記第１及び第２の側面それぞれに配置され、前記信号用内部電極に電気的に接続される信号用端子電極と、
前記コンデンサ素体の前記第３及び第４の側面それぞれに配置され、前記接地用内部電極に電気的に接続される接地用端子電極と、を備え、
前記信号用主電極部は、前記積層方向に対向する前記接地用主電極部に向かって屈曲又は湾曲しており、
前記信号用主電極部又は前記接地用主電極部の少なくとも一方の屈曲又は湾曲した凹部の前記第１の方向における中心は、前記積層方向から見たときに、前記接地用引き出し電極部同士を結んだ領域内に位置していることを特徴とする積層貫通コンデンサ。
【請求項３】
誘電体層を積層してなり、且つ、前記誘電体層の積層方向と交差する第１の方向に対向する第１及び第２の側面と、前記積層方向及び前記第１の方向とに交差する第２の方向に対向する第３及び第４の側面とを有するコンデンサ素体と、
前記コンデンサ素体内に配置され、且つ、前記第１の方向に伸びる信号用主電極部と、前記信号用主電極部から前記第１及び第２の側面それぞれに引き出される信号用引き出し電極部とを有する信号用内部電極と、
前記コンデンサ素体内に配置され、且つ、前記信号用主電極部と前記積層方向に対向する接地用主電極部と、前記接地用主電極部から前記第３及び第４の側面それぞれに引き出される接地用引き出し電極部とを有する接地用内部電極と、
前記コンデンサ素体の前記第１及び第２の側面それぞれに配置され、前記信号用内部電極に電気的に接続される信号用端子電極と、
前記コンデンサ素体の前記第３及び第４の側面それぞれに配置され、前記接地用内部電極に電気的に接続される接地用端子電極と、を備え、
前記信号用主電極部は、前記積層方向に対向する前記接地用主電極部に向かって屈曲又は湾曲しており、
前記信号用内部電極において、前記信号用主電極部の屈曲又は湾曲した凹部の前記第１の方向における中心の積層方向における位置をＴ１、前記信号用主電極部と前記信号用引き出し電極部との境の積層方向における位置をＴ２、及び、前記信号用引き出し電極部の前記信号用端子電極との接続部の積層方向における位置をＴ３とした場合に、第１の高低差Ｔ２−Ｔ１が第２の高低差Ｔ２―Ｔ３よりも小さいことを特徴とする積層貫通コンデンサ。
【請求項４】
誘電体層を積層してなり、且つ、前記誘電体層の積層方向と交差する第１の方向に対向する第１及び第２の側面と、前記積層方向及び前記第１の方向とに交差する第２の方向に対向する第３及び第４の側面とを有するコンデンサ素体と、
前記コンデンサ素体内に配置され、且つ、前記第１の方向に伸びる信号用主電極部と、前記信号用主電極部から前記第１及び第２の側面それぞれに引き出される信号用引き出し電極部とを有する信号用内部電極と、
前記コンデンサ素体内に配置され、且つ、前記信号用主電極部と前記積層方向に対向する接地用主電極部と、前記接地用主電極部から前記第３及び第４の側面それぞれに引き出される接地用引き出し電極部とを有する接地用内部電極と、
前記コンデンサ素体の前記第１及び第２の側面それぞれに配置され、前記信号用内部電極に電気的に接続される信号用端子電極と、
前記コンデンサ素体の前記第３及び第４の側面それぞれに配置され、前記接地用内部電極に電気的に接続される接地用端子電極と、を備え、
前記信号用主電極部は、前記積層方向に対向する前記接地用主電極部に向かって屈曲又は湾曲しており、
前記信号用内部電極において、前記信号用引き出し電極部の前記信号用端子電極との接続部から前記信号用主電極部と前記信号用引き出し電極部との境までの傾斜角α１は、前記信号用主電極部の屈曲又は湾曲した凹部の前記第１の方向における中心から前記信号用主電極部と前記信号用引き出し電極部との境までの傾斜角α２よりも大きいことを特徴とする積層貫通コンデンサ。
【請求項５】
誘電体層を積層してなり、且つ、前記誘電体層の積層方向と交差する第１の方向に対向する第１及び第２の側面と、前記積層方向及び前記第１の方向とに交差する第２の方向に対向する第３及び第４の側面とを有するコンデンサ素体と、
前記コンデンサ素体内に配置され、且つ、前記第１の方向に伸びる信号用主電極部と、前記信号用主電極部から前記第１及び第２の側面それぞれに引き出される信号用引き出し電極部とを有する信号用内部電極と、
前記コンデンサ素体内に配置され、且つ、前記信号用主電極部と前記積層方向に対向する接地用主電極部と、前記接地用主電極部から前記第３及び第４の側面それぞれに引き出される接地用引き出し電極部とを有する接地用内部電極と、
前記コンデンサ素体の前記第１及び第２の側面それぞれに配置され、前記信号用内部電極に電気的に接続される信号用端子電極と、
前記コンデンサ素体の前記第３及び第４の側面それぞれに配置され、前記接地用内部電極に電気的に接続される接地用端子電極と、を備え、
前記信号用主電極部は、前記積層方向に対向する前記接地用主電極部に向かって屈曲又は湾曲しており、
前記信号用主電極部の屈曲又は湾曲した凹部の前記第１の方向における曲がり角α３が１６０度以上１８０度未満であることを特徴とする積層貫通コンデンサ。
【請求項６】
誘電体層を積層してなり、且つ、前記誘電体層の積層方向と交差する第１の方向に対向する第１及び第２の側面と、前記積層方向及び前記第１の方向とに交差する第２の方向に対向する第３及び第４の側面とを有するコンデンサ素体と、
前記コンデンサ素体内に配置され、且つ、前記第１の方向に伸びる信号用主電極部と、前記信号用主電極部から前記第１及び第２の側面それぞれに引き出される信号用引き出し電極部とを有する信号用内部電極と、
前記コンデンサ素体内に配置され、且つ、前記信号用主電極部と前記積層方向に対向する接地用主電極部と、前記接地用主電極部から前記第３及び第４の側面それぞれに引き出される接地用引き出し電極部とを有する接地用内部電極と、
前記コンデンサ素体の前記第１及び第２の側面それぞれに配置され、前記信号用内部電極に電気的に接続される信号用端子電極と、
前記コンデンサ素体の前記第３及び第４の側面それぞれに配置され、前記接地用内部電極に電気的に接続される接地用端子電極と、を備え、
前記信号用主電極部は、前記積層方向に対向する前記接地用主電極部に向かって屈曲又は湾曲しており、
前記コンデンサ素体は、前記第１の方向における長さが前記第２の方向における長さよりも長い略直方体形状を呈しており、
前記信号用内部電極において、前記信号用主電極部の屈曲又は湾曲した凹部の前記第２の方向における中心から前記信号用主電極部の前記第２の方向における端部までの傾斜角α４は、前記信号用主電極部の屈曲又は湾曲した凹部の前記第１の方向における中心から前記信号用主電極部と前記信号用引き出し電極部との境までの傾斜角α２よりも大きいことを特徴とする積層貫通コンデンサ。
【請求項７】
前記接地用主電極部は、前記積層方向に対向する前記信号用主電極部と同じ方向に屈曲又は湾曲していることを特徴とする請求項１〜６の何れか一項に記載の積層貫通コンデンサ。
【発明の詳細な説明】
【技術分野】
【０００１】
本発明は、積層貫通コンデンサに関する。
【背景技術】
【０００２】
積層貫通コンデンサとして、コンデンサ素体内に交互に配置された信号用内部電極と接地用内部電極とを備えたコンデンサが知られている（例えば特許文献１）。この積層貫通コンデンサでは、信号用内部電極と接地用内部電極とがコンデンサ素体内を貫通するように形成されており、コンデンサ素体の側面において互いに対向するように配置される信号用端子電極と接地用端子電極とにそれぞれ接続される構成となっている。このような積層貫通コンデンサは、例えば、電子機器のノイズ除去等に用いられる。
【先行技術文献】
【特許文献】
【０００３】
【特許文献１】特開平０１−２０６６１５号公報
【発明の概要】
【発明が解決しようとする課題】
【０００４】
従来の積層貫通コンデンサでは、ある程度のノイズを除去することはできる。しかしながら、電子機器に使用される信号周波数が高まるにつれて、高周波帯域でのノイズの除去能力の更なる向上が望まれている。
【０００５】
本発明は、高周波帯域でのノイズの除去能力を向上させることができる積層貫通コンデンサを提供することを目的とする。
【課題を解決するための手段】
【０００６】
本発明に係る積層貫通コンデンサは、コンデンサ素体と、信号用内部電極と、接地用内部電極と、信号用端子電極と、接地用端子電極とを備えている。コンデンサ素体は、誘電体層を積層してなり、且つ、誘電体層の積層方向と交差する第１の方向に対向する第１及び第２の側面と、積層方向及び第１の方向とに交差する第２の方向に対向する第３及び第４の側面とを有する。信号用内部電極は、コンデンサ素体内に配置され、且つ、第１の方向に伸びる信号用主電極部と、信号用主電極部から第１及び第２の側面それぞれに引き出される信号用引き出し電極部とを有する。
【０００７】
接地用内部電極は、コンデンサ素体内に配置され、且つ、信号用主電極部と積層方向に対向する接地用主電極部と、接地用主電極部から第３及び第４の側面それぞれに引き出される接地用引き出し電極部とを有する。信号用端子電極は、コンデンサ素体の第１及び第２の側面それぞれに配置され、信号用内部電極に電気的に接続される。接地用端子電極は、コンデンサ素体の第３及び第４の側面それぞれに配置され、接地用内部電極に電気的に接続される。この積層貫通コンデンサでは、信号用主電極部は、積層方向に対向する接地用主電極部に向かって屈曲又は湾曲している。
【０００８】
本発明に係る積層貫通コンデンサでは、このように、信号用主電極部が、積層方向に対向する接地用主電極部に向かって屈曲又は湾曲している。この場合、信号用内部電極を流れる信号に重畳する高周波ノイズを、信号用主電極部の屈曲又は湾曲している部分（凹部）から接地用主電極部に向かって効率よく流れ込むようにすることができる。これにより、本発明に係る積層貫通コンデンサでは、高周波ノイズの除去能力を向上させることが可能となる。
【０００９】
上記の積層貫通コンデンサにおいて、接地用主電極部は、積層方向に対向する信号用主電極部と同じ方向に屈曲又は湾曲していることが好ましい。この場合、信号用主電極部の屈曲又は湾曲している部分から接地用主電極部に向かって高周波ノイズが更に効率よく流れ込むようにすることができる。また、信号用主電極部と接地用主電極部とが同じ方向に屈曲又は湾曲していることにより、誘電体層と各内部電極との噛み合わせがよくなり、いわゆるアンカー効果等によって積層体の割れを防止できる。
【００１０】
上記の積層貫通コンデンサにおいて、信号用主電極部又は接地用主電極部の少なくとも一方は、当該主電極部の中央部を中心として屈曲又は湾曲していることが好ましい。この場合、内部電極の特定箇所のみを屈曲又は湾曲させることになり、内部電極を曲げることで大きくなり兼ねない直流抵抗Ｒｄｃの増加を抑制することができる。
【００１１】
上記の積層貫通コンデンサにおいて、信号用主電極部又は接地用主電極部の少なくとも一方の屈曲又は湾曲した凹部の第１の方向における中心は、積層方向から見たときに、接地用引き出し電極部同士を結んだ領域内に位置していることが好ましい。この場合、信号用主電極部の屈曲等している部分から接地用主電極部に流れ込んだ高周波ノイズが接地用端子電極に効率よく流れ込むようにすることができ、これにより、高周波ノイズの除去能力を更に向上させることができる。
【００１２】
上記の積層貫通コンデンサでは、信号用内部電極において、信号用主電極部の屈曲又は湾曲した凹部の第１の方向における中心の積層方向における位置をＴ１、信号用主電極部と信号用引き出し電極部との境の積層方向における位置をＴ２、及び、信号用引き出し電極部の信号用端子電極との接続部の積層方向における位置をＴ３とした場合に、第１の高低差Ｔ２−Ｔ１が第２の高低差Ｔ２―Ｔ３よりも小さいことが好ましい。この場合、信号用内部電極の主電極部を過度に凹ませないことになり、静電容量部の電極途切れを防止することができる。
【００１３】
上記の積層貫通コンデンサでは、信号用内部電極において、信号用引き出し電極部の信号用端子電極との接続部から信号用主電極部と信号用引き出し電極部との境までの傾斜角α１は、信号用主電極部の屈曲又は湾曲した凹部の第１の方向における中心から信号用主電極部と信号用引き出し電極部との境までの傾斜角α２よりも大きいことが好ましい。この場合、信号用内部電極の主電極部を過度に凹ませないことになり、静電容量部の電極途切れを防止することができる。
【００１４】
上記の積層貫通コンデンサにおいて、信号用主電極部の屈曲又は湾曲した凹部の第１の方向における曲がり角α３が１６０度以上１８０度未満であることが好ましい。この場合、信号用内部電極の主電極部を過度に凹ませないことになり、静電容量部の電極途切れを防止することができる。
【００１５】
上記の積層貫通コンデンサにおいて、コンデンサ素体は、第１の方向における長さが第２の方向における長さよりも長い略直方体形状を呈しており、信号用内部電極において、信号用主電極部の屈曲又は湾曲した凹部の第２の方向における中心から信号用主電極部の第２の方向における端部までの傾斜角α４は、信号用主電極部の屈曲又は湾曲した凹部の第１の方向における中心から信号用主電極部と信号用引き出し電極部との境までの傾斜角α２よりも大きいことが好ましい。この場合、信号用主電極部の長さ寸法が小さくなる第２の方向における信号用主電極部の凹部中心から端部までの傾斜角α４を急峻にすることで、高周波ノイズの除去能力を更に向上させることができる。
【発明の効果】
【００１６】
本発明によれば、高周波帯域でのノイズの除去能力を向上した積層貫通コンデンサを提供することができる。
【図面の簡単な説明】
【００１７】
【図１】本発明の一実施形態に係る積層貫通コンデンサの斜視図である。
【図２】図１に示した積層貫通コンデンサのII-II線断面図である。
【図３】図１に示した積層貫通コンデンサのIII-III線断面図である。
【図４】（ａ）は、誘電体層上に配置された信号用内部電極の平面図であり、（ｂ）は、別の誘電体層上に配置された接地用内部電極の平面図である。
【図５】信号用内部電極の断面を模式的に示した模式断面図である。
【図６】図４の平面図に更に段差吸収層を積層した状態を示した平面図であり、（ａ）は、信号用内部電極が配置された誘電体層上に段差吸収層を積層した平面図であり、（ｂ）は、接地用内部電極が配置された誘電体層上に段差吸収層を積層した平面図である。
【図７】本実施形態に係る積層貫通コンデンサのインピーダンスと従来の積層貫通コンデンサのインピーダンスとを比較した図である。
【図８】本発明の変形例に係る積層貫通コンデンサの内部電極を示した斜視図であり、（ａ）は、誘電体層上に配置された信号用内部電極の斜視図であり、（ｂ）は、別の誘電体層上に配置された接地用内部電極の斜視図である。
【発明を実施するための形態】
【００１８】
以下、添付図面を参照して、本発明の好適な実施形態について詳細に説明する。なお、説明において、同一要素又は同一機能を有する要素には、同一符号を用いることとし、重複する説明は省略する。
【００１９】
まず、図１〜図３を参照して、本実施形態に係る積層貫通コンデンサ１の構成について説明する。積層貫通コンデンサ１は、コンデンサ素体２と、信号用端子電極３，３と、接地用端子電極４，４と、信号用内部電極１０と、接地用内部電極２０とを備えて構成されている。
【００２０】
コンデンサ素体２は、図２及び図３に示されるように、複数の誘電体層５が積層されて形成され、略直方体形状をなしている。コンデンサ素体２は、図１に示されるように、Ｚ方向（誘電体層５の積層方向）に対向する矩形形状の第１及び第２の主面２ａ，２ｂと、Ｙ軸方向（第１の方向）に対向する第１及び第２の側面２ｃ、２ｄと、Ｘ軸方向（第２の方向）に対向する第３及び第４の側面２ｅ，２ｆとを有する。
【００２１】
第１及び第２の側面２ｃ，２ｄは、第１及び第２の主面２ａ，２ｂ間を連結するように第１及び第２の主面２ａ，２ｂの短辺方向に伸びている。第３及び第４の側面２ｅ，２ｆは、第１及び第２の主面２ａ，２ｂ間を連結するように第１及び第２の主面２ａ，２ｂの長辺方向に伸びている。誘電体層５は、例えばＢａＴｉＯ３系、Ｂａ（Ｔｉ，Ｚｒ）Ｏ３系、（Ｂａ，Ｃａ）ＴｉＯ３系といった電歪特性を有する誘電体材料によって形成される。
【００２２】
信号用端子電極３，３は、コンデンサ素体２の第１及び第２の側面２ｃ，２ｄを覆うようにそれぞれ形成され、Ｙ軸方向に互いに対向して配置されている。信号用端子電極３は、多層化されており、コンデンサ素体２に接する内側の層には、例えばＣｕ，Ｎｉ，Ａｇ−Ｐｄなどが用いられ、外側の層には、例えばＮｉ−Ｓｎなどのめっきが施されている。信号用端子電極３，３は、後述する信号用内部電極１０の両端に電気的に接続される。
【００２３】
接地用端子電極４，４は、コンデンサ素体２の第３及び第４の側面２ｅ，２ｆの略中央に第１の主面２ａから第２の主面２ｂに跨るようにそれぞれ形成され、Ｘ軸方向に互いに対向して配置されている。接地用端子電極４は、信号用端子電極３と同様の材料によって多層化されている。接地用端子電極４，４は、後述する接地用内部電極２０の両端に電気的に接続される。なお、接地用端子電極４は、コンデンサ素体２の表面において、信号用端子電極３とは互いに電気的に絶縁されている。
【００２４】
信号用内部電極１０と接地用内部電極２０とは、図２及び図３に示されるように、コンデンサ素体２内において、少なくとも１層の誘電体層５を挟むようにして交互に複数積層されている。信号用内部電極１０は、その断面方向（Ｘ軸方向及びＹ軸方向）の中央部を中心として、積層方向に対向する一方の接地用内部電極２０に向かって図示下方に屈曲している。接地用内部電極２０は、その断面方向の中央部を中心として、この信号用内部電極１０と同じ方向に屈曲しており、信号用内部電極１０と略平行な状態となるように形成されている。なお、信号用内部電極１０と接地用内部電極２０との間に介在する誘電体層５の厚さは、例えば０．５〜２μｍ程度である。
【００２５】
信号用内部電極１０は、図４（ａ）に示されるように、矩形形状を呈し、誘電体層５上のＸ軸方向の略中央に配置される。信号用内部電極１０は、接地用内部電極２０と積層方向に対向して静電容量部を形成する主電極部１０ａ（信号用主電極部）と、主電極部１０ａの両端から同じ幅で両側面２ｃ，２ｄに引き出される引き出し電極部１０ｂ，１０ｃ（信号用引き出し電極部）とを含んでいる。信号用内部電極１０は、Ｙ軸方向に伸びるように形成されており、側面２ｃ，２ｄにその両端が露出し、これにより、信号用端子電極３，３を互いに電気的に接続させる。
【００２６】
接地用内部電極２０は、図４（ｂ）に示されるように、略十字形状を呈し、信号用内部電極１０が配置される誘電体層５とは別の誘電体層５上の中心部に配置される。接地用内部電極２０は、信号用内部電極１０と積層方向に対向する矩形形状の主電極部２０ａ（接地用主電極部）と、主電極部２０ａのＹ軸方向に伸びる両外縁の中央から主電極部２０ａよりも狭い幅で両側面２ｅ，２ｆに引き出される引き出し電極部２０ｂ，２０ｃ（接地用引き出し電極部）とを含んでいる。接地用内部電極２０は、引き出し電極部２０ｂ，２０ｃがＸ軸方向に伸びるように形成されており、側面２ｅ，２ｆにその両端が露出し、これにより、接地用端子電極４，４を互いに電気的に接続させる。
【００２７】
ここで、本実施形態に係る積層貫通コンデンサ１の信号用内部電極１０の断面形状について、図５を参照して、より詳細に説明する。上述したように、信号用内部電極１０は、その断面方向（Ｘ軸方向及びＹ軸方向）の中央部を中心として、積層方向に対向する一方の接地用内部電極２０に向かって図示下方に屈曲している。言い換えると、信号用内部電極１０は、主電極部１０ａの端部からその中央部に向かって主面２ｂの方向に傾く勾配を有している。但し、積層貫通コンデンサ１では、信号用内部電極１０を過度に曲がらせることによる直流抵抗Ｒｄｃの増加を抑制するため、以下のような断面形状となっている。
【００２８】
すなわち、信号用内部電極１０は、図５に示されるように、主電極部１０ａの屈曲した凹部のＹ軸方向における中心の積層方向における位置をＴ１、主電極部１０ａと引き出し電極部１０ｂ，１０ｃとの境の積層方向における位置をＴ２、及び、引き出し電極部１０ｂ，１０ｃの信号用端子電極３，３との接続部の積層方向における位置をＴ３とした場合に、主電極部１０ａにおける高低差Ｔ２−Ｔ１が引き出し電極部１０ｂ，１０ｃにおける高低差Ｔ２―Ｔ３よりも小さくなるように屈曲している。つまり、信号用内部電極１０の主電極部１０ａを過度に曲がらせない構成となっており、主電極部１０ａの屈曲した凹部のＹ軸方向における曲がり角α３は、例えば１６０度以上１８０度未満の間の値となっている。
【００２９】
そして、信号用内部電極１０では、主電極部１０ａの長さ（一方のＴ２から他方のＴ２までの距離）が引き出し電極部１０ｂの長さ（Ｔ２からＴ３までの距離）よりも十分に長くなっており、引き出し電極部１０ｂ（１０ｃ）の信号用端子電極３との接続部Ｔ３から主電極部１０ａと引き出し電極部１０ｂ（１０ｃ）との境Ｔ２までの傾斜角α１が、主電極部１０ａの屈曲した凹部の中心Ｔ１から主電極部１０ａと引き出し電極部１０ｂ（１０ｃ）との境Ｔ２までの傾斜角α２よりも大きくなるように形成されている。
【００３０】
また、信号用内部電極１０では、主電極部１０ａの屈曲した凹部のＸ軸方向における中心から主電極部１０ａのＸ軸方向における端部までの傾斜角α４が、主電極部１０ａの屈曲した凹部のＹ軸方向における中心Ｔ１から主電極部１０ａと引き出し電極部１０ｂ（１０ｃ）との境Ｔ２までの傾斜角α２よりも大きくなるようにもなっている。
【００３１】
また、積層方向から見た場合、このような主電極部１０ａの屈曲した凹部の中心は、接地用内部電極２０の引き出し電極部２０ｂ，２０ｃ同士を結んだ領域内に位置することになる。なお、接地用内部電極２０は、積層方向において信号用内部電極１０と略平行な形状となっているため、上述した信号用内部電極１０と略同様な断面形状を呈する。
【００３２】
続いて、積層貫通コンデンサ１の製造方法について簡単に説明する。最初に誘電体層５となる複数のグリーンシート５（説明の便宜上、誘電体層５と同じ符号を用いる。以下同じ）を準備する。まず、ＢａＴｉＯ３系、Ｂａ(Ｔｉ，Ｚｒ)Ｏ３系、又は（Ｂａ，Ｃａ）ＴｉＯ３系の誘電体材料に、有機ビヒクルなどを混合・混練することによってセラミックペーストを得る。このセラミックペーストをドクターブレード法等によりＰＥＴフィルム上に塗布し、グリーンシート５を形成する。
【００３３】
このグリーンシート５上に信号用内部電極１０や接地用内部電極２０となる電極パターンをそれぞれ形成する。電極パターンは、電極ペーストをグリーンシート上にスクリーン印刷等することによって例えば形成する。また、本実施形態では、図６（ａ）に示されるように、信号用内部電極１０が形成されるグリーンシート５の内部電極の非形成領域５ｅ，５ｆ上及び信号用内部電極１０のＹ軸方向に沿った外縁１０ｅ，１０ｆ上とに、グリーンシート５と同様の材料からなるセラミックペースト１２を印刷する。このセラミックペースト１２は、内部電極１０の厚みによる積層方向の段差を吸収する段差吸収層として機能する。
【００３４】
次に、図６（ｂ）に示されるように、接地用内部電極２０が形成されるグリーンシート５の内部電極の非形成領域５ｃ，５ｄ上、接地用内部電極２０の引き出し電極部２０ｂ，２０ｃ上、及び、接地用内部電極２０の主電極部２０ａの周縁上に、グリーンシート５と同様の材料からなるセラミックペーストを印刷する。このセラミックペーストも、内部電極２０の厚みによる積層方向の段差を吸収する段差吸収層として機能する。その後、電極パターンが形成された複数のグリーンシート５と、形成されていない複数のグリーンシート５とを所定の順序で積層し、積層方向から加圧して積層体を形成する。この加圧を行う際、上述した段差吸収層や電極パターン上の空隙等により、信号用内部電極１０や接地用内部電極２０となる電極パターンは、積層方向に屈曲等された形状へと折り曲げられる。
【００３５】
次に、この積層体を切断して略直方体形状のグリーンチップを複数形成し、脱バインダ処理及び焼成を行う。焼成により、グリーンシート５が誘電体層５となり、電極パターンが信号用内部電極１０や接地用内部電極２０となり、コンデンサ素体２が得られる。このコンデンサ素体２の第１及び第２の側面２ｃ，２ｄには、面全体を覆うようにＣｕ等の導電性ペーストを塗布し、第３及び第４の側面２ｅ，２ｆには、長手方向中央部に帯状に同様の導電性ペーストを塗布する。その後、塗布した導電性ペーストを焼付け、更に、めっきを施すことにより、信号用端子電極３，３と接地用端子電極４，４とが形成される。以上により、積層貫通コンデンサ１が完成する。
【００３６】
以上のように、本実施形態に係る積層貫通コンデンサ１では、信号用内部電極１０の主電極部１０ａが、積層方向に対向する接地用内部電極２０の主電極部２０ａに向かって屈曲している。このため、信号用内部電極１０を流れる信号（図４（ａ）中の矢印）に重畳する高周波ノイズを、主電極部１０ａの屈曲している部分（凹部）から接地用内部電極２０の主電極部２０ａに向かって効率よく流れ込むようにすることができる。その結果、積層貫通コンデンサ１では、図７の線Ａで示されるように、従来の積層コンデンサの除去能力を示す線Ｂに比べ、高周波ノイズの除去能力（インピーダンス）を所定の高周波帯域で向上させることが可能となる。
【００３７】
また、積層貫通コンデンサ１では、接地用内部電極２０の主電極部２０ａは、積層方向に対向する信号用内部電極１０の主電極部１０ａと同じ方向に屈曲している。このため、主電極部１０ａの屈曲している部分から接地用内部電極２０の主電極部２０ａに向かって高周波ノイズが更に効率よく流れ込むようにすることができる。しかも、主電極部１０ａと主電極部２０ａとが同じ方向に屈曲していることにより、誘電体層５と各内部電極１０，２０との噛み合わせがよくなり、いわゆるアンカー効果によって積層体の割れを防止できる。
【００３８】
また、積層貫通コンデンサ１では、主電極部１０ａ，２０ａは、当該主電極部１０ａ，２０ａの中央部を中心として屈曲している。このため、内部電極１０，２０の特定箇所のみを屈曲させることになり、内部電極１０，２０を曲げることで大きくなり兼ねない直流抵抗Ｒｄｃの増加を抑制することができる。
【００３９】
また、積層貫通コンデンサ１では、主電極部１０ａ，２０ａの屈曲した凹部のＹ軸方向における中心は、積層方向から見たときに、引き出し電極部２０ｂ，２０ｃ同士を結んだ領域内に位置している。このため、主電極部１０ａの屈曲している部分から主電極部２０ａに流れ込んだ高周波ノイズが、図４（ｂ）の矢印で示されるように、接地用端子電極４，４に効率よく流れ込むようにすることができる。これにより、積層貫通コンデンサ１では、高周波ノイズの除去能力を更に向上させることができる。
【００４０】
また、積層貫通コンデンサ１では、信号用内部電極１０において、主電極部１０ａの屈曲した凹部のＹ軸方向における中心の積層方向における位置をＴ１、主電極部１０ａと引き出し電極部１０ｂ，１０ｃとの境の積層方向における位置をＴ２、及び、引き出し電極部１０ｂ，１０ｃの信号用端子電極３，３との接続部の積層方向における位置をＴ３とした場合に、主電極部１０ａの高低差Ｔ２−Ｔ１が引き出し電極部１０ｂ，１０ｃの高低差Ｔ２―Ｔ３よりも小さくなっている。このように、信号用内部電極１０の主電極部１０ａを過度に凹ませないことにより、積層貫通コンデンサ１では、直流抵抗Ｒｄｃの増加を抑制することができると共に、静電容量部の電極途切れを防止することができる。
【００４１】
また、積層貫通コンデンサ１では、信号用内部電極１０において、引き出し電極部１０ｂ，１０ｃの信号用端子電極３，３との接続部から主電極部１０ａと引き出し電極部１０ｂ，１０ｃとの境までの傾斜角α１は、主電極部１０ａの屈曲した凹部のＹ軸方向における中心から主電極部１０ａと引き出し電極部１０ｂ，１０ｃとの境までの傾斜角α２よりも大きくなっている。このように、信号用内部電極１０の主電極部１０ａを過度に凹ませないことにより、積層貫通コンデンサ１では、直流抵抗Ｒｄｃの増加を抑制することができると共に、静電容量部の電極途切れを防止することができる。
【００４２】
また、積層貫通コンデンサ１では、主電極部１０ａの屈曲した凹部のＹ軸方向における曲がり角α３が１６０度以上１８０度未満である。このように、信号用内部電極１０の主電極部１０ａを過度に凹ませないことにより、積層貫通コンデンサ１では、直流抵抗Ｒｄｃの増加を抑制することができると共に、静電容量部の電極途切れを防止することができる。
【００４３】
また、積層貫通コンデンサ１では、信号用内部電極１０において、主電極部１０ａの屈曲した凹部のＸ軸方向における中心から主電極部１０ａのＸ軸方向における端部までの傾斜角α４が、主電極部１０ａの屈曲した凹部のＹ軸方向における中心から主電極部１０ａと引き出し電極部１０ｂ，１０ｃとの境までの傾斜角α２よりも大きくなっている。このように、主電極部１０ａの長さ寸法が小さくなるＸ軸方向における主電極部１０ａの凹部中心から端部までの傾斜角α４を急にすることで、直流抵抗Ｒｄｃの増加を抑制しつつ、高周波ノイズの除去能力を更に向上させることができる。
【００４４】
以上、本発明の好適な実施形態について詳細に説明したが、本発明は上記実施形態に限定されるものではなく、種々の変形が可能である。例えば、上記実施形態では、信号用内部電極１０や接地用内部電極２０が主電極部１０ａ，２０ａにおいてその中央部を中心として一箇所が屈曲した構成としたが、内部電極１０，２０を曲げることで大きくなり兼ねない直流抵抗Ｒｄｃの増加を抑制できる範囲で、屈曲する箇所を増やしてももちろんよい。
【００４５】
また、上述実施形態では、信号用内部電極１０等を屈曲した場合で説明したが、図８に示されるように、信号用内部電極３０の主電極部３０ａが、積層方向に対向する接地用内部電極４０の主電極部４０ａに向かって湾曲する構成とし、更に、接地用内部電極４０の主電極部４０ａも、この信号用内部電極３０の主電極部３０ａと同じ方向に湾曲する構成としてもよい。なお、この変形例における信号用内部電極３０と接地用内部電極４０は、上述した内部電極１０，２０と略同様であり、主電極部３０ａ，４０ａや引き出し電極部３０ｂ，３０ｃ，４０ｂ，４０ｃを有し、互いに略平行な状態で積層されて、積層貫通コンデンサを形成する。
【００４６】
このような構成の積層貫通コンデンサにおいても、両湾曲部３５，４５は、上述した両内部電極１０，２０の凹部と同様の効果を奏し、信号用内部電極３０を流れる信号に重畳する高周波ノイズを、主電極部３０ａの湾曲部３５から接地用内部電極４０の主電極部４０ａの湾曲部４５に向かって効率よく流れ込むようにすることができ、高周波ノイズの除去能力を向上させることが可能である。
【符号の説明】
【００４７】
１…積層貫通コンデンサ、２…コンデンサ素体、３…信号用端子電極、４…接地用端子電極、５…誘電体層、１０，３０…信号用内部電極、１０ａ，３０ａ…主電極部、１０ｂ，１０ｃ，３０ｂ，３０ｃ…引き出し電極部、２０，４０…接地用内部電極、２０ａ，４０ａ…主電極部、２０ｂ，２０ｃ，４０ｂ，４０ｃ…引き出し電極部。
【図１】
0005803423.tif 000002
【図２】
0005803423.tif 000003
【図３】
0005803423.tif 000004
【図４】
0005803423.tif 000005
【図５】
0005803423.tif 000006
【図６】
0005803423.tif 000007
【図７】
0005803423.tif 000008
【図８】
0005803423.tif 000009